(57)【要約】本発明のエルボ形状電気プラグは、第一（７）及び第二（６）の円筒中空ボディから構成され、互いに固定され、角度を形成している。ストッパ（３）で締切られた、第一（７）ボディの端部（２）は、第二（６）ボディの端部（１）に配置し、従って、二つのボディ（６、７）の自由端（８、１２）の間に、連続したチャンネルを画定する。第一ボディ（７）は、取り外し可能な接点ユニット（５、１１）を包含する。上記の電気プラグはまた、取り外し可能な接点ユニット（５、１１）を所定の位置に維持する方法として、第一ボディ（７）に配置した円筒同軸枠（４）を包含する。枠（４）はまた、長手方向の壁に組み入れた窪み（２３）を持ち、そして、第二円筒ボディ（６）の自由端（１２）の側面に配置される。
2006513535.tif 000002
【特許請求の範囲】
【請求項１】
互いに固定され、角度を持つ、第一（７）及び第二（６）の中空円筒ボディを、具備するエルボ形状電気プラグであって、ストッパ（３）によって締切られる該第一ボディ（７）の一方の端部（２）が、該二つのボディ（６、７）の自由端（８，１２）の間に、連続する通路を画定するために、該第二ボディ（６）の一方の端部（１）に収納されていて、該第一ボディ（７）が、可動な接点ブロック（５、１１）を具備するエルボ形状電気プラグにおいて、該電気プラグが、所定の位置に該可動な接点ブロック（５、１１）を保持するように、該第一ボディ（７）に配置される同軸円筒枠（４）をさらに具備し、該枠（４）が、長手方向の壁に形成され、該第二円筒ボディ（６）の、該自由端（１２）と同じ側に配置される刳り貫き部分（２３）をさらに具備することを特徴とする、エルボ形状電気プラグ。
【請求項２】
該刳り貫き部分（２３）の幅が、該枠（４）の主軸の周囲に、約180度に広がることを特徴とする、請求項1に記載の電気プラグ。
【請求項３】
該刳り貫き部分（２３）の長さが、該枠（４）の長さより、若干短いことを特徴とする、請求項1又は2に記載の電気プラグ。
【請求項４】
該ストッパ（３）と同じ側に、又は端部と該ストッパ（３）との間に位置する、該枠（４）の該端部に向かって配置される弾力性の手段（１８、２１）を具備し、該手段が、該枠（４）と該ストッパ（３）との間の弾力性接触を確保するように作られる、請求項1から3のいずれか一項に記載の電気プラグ。
【請求項５】
該枠（４）が、該枠（４）の主軸に沿って弾性体（１４）と成っている端部を具備することを特徴とする、請求項４に記載の電気プラグ。
【請求項６】
該弾力性端部（１４）が、中空、円錐形で、該円錐の頂点から放射状に広がるスロット（１９）を持つことを特徴とする、請求項5に記載の電気プラグ。
【請求項７】
該弾力性端部（１４）が中実で、該枠（４）の主軸に垂直な面に作られるスロット（２０）を持ち、該スロット（２０）と該ストッパ（３）との間に位置付けられる該枠（４）の部分が、ほぼ円板（２１）の形状であり、該円板（２１）は、該枠（４）の外側に、該ストッパ（３）の方向を向いた突起（２２）を具備することを特徴とする、請求項5に記載の電気プラグ。
【請求項８】
該枠（４）の長さが、有効な隙間よりも若干長く、従って、該コネクタが、該ストッパ（３）によって締切られる場合に、該枠（４）に圧縮が加わることを特徴とする、請求項5から7のいずれか一項に記載の電気プラグ。
【請求項９】
該弾力性の手段が、該端部と該ストッパ（３）との間に配置されることを特徴とする、請求項4に記載の電気プラグ。
【請求項１０】
該弾力性の手段が、エラストマから作られた部品、例えば該Ｏ-リングタイプのシールから成ることを特徴とする、請求項9に記載の電気プラグ。
【請求項１１】
該弾力性の手段が、スプリングから成ることを特徴とする、請求項9に記載の電気プラグ。
【請求項１２】
刳り貫き部分（２３）が、該枠（４）に弾力性を与えるのに十分な大きさであることを特徴とする、請求項の１から3のいずれか一項に記載の電気プラグ。
【請求項１３】
該第二ボディ（６）に収納される、該第一ボディ（７）の該端部が、該Ｏ−リングタイプ（１６）のシールによって囲まれることを特徴とする、請求項の１から12のいずれか一項に記載の電気プラグ。
【請求項１４】
該第一ボディ（７）と該第二ボディ（６）との間に位置し、該ボディ（６、７）間の最適な電気接触もまた確保するために、該第二ボディ（６）の内側に配置されている該Ｏ−リングタイプ（１７）を具備する、請求項の１から13のいずれか一項に記載の電気プラグ。
【請求項１５】
請求項の１から14のいずれか一項に記載のエルボ形状電気プラグのための円筒枠（４）。
【発明の詳細な説明】
【技術分野】
【０００１】
本発明は、エルボ形状電気プラグに関する。より具体的には、小型のエルボ形状プラグに関する。
【背景技術】
【０００２】
多数のタイプのエルボ形状プラグが知られている。
例示のために、特許文献１、特許文献2、特許文献3で述べられたエルボ形状プラグであってもよい。
エルボ形状プラグの一つのタイプは、二つのボディの自由端の間に、連続する通路を画定するために、第一ボディの一端が、第二ボディの一端に収納されて、互いに直角に固定される、第一及び第二の中空円筒ボディから構成される。
【０００３】
エルボ形状プラグは、スペースの観点からストレートプラグの使用が出来ない場合、又は、ケーブルの行先がプラグの主軸から離れすぎている場合、一般的に使用される。副次的なこととして、エルボ形状プラグは、コードの張力によるモーメントをより小さくするので、プラグに及ぼす応力の低減を可能にする。
【０００４】
しかし、最先端のエルボ形状プラグは、いくつかの欠点を持っている。
-    それらは、組立が複雑であるという意味で、複雑な部品である。
-    それらは、主に複雑さによって、高価な部品である。
-    それらは、シールが完全でない。
-    ケーブルの接続に難点がある。
【０００５】
【特許文献１】米国特許第４１２８２９２号明細書
【特許文献２】国際公開第９４／０２９７６号パンフレット
【特許文献３】米国特許第４４８０８８７号明細書
【発明の開示】
【発明が解決しようとする課題】
【０００６】
本発明は、具体的に、前記の問題点を解決することを意図する。
【課題を解決するための手段】
【０００７】
主たる請求項に規定される、エルボ形状電気プラグに関するものである。
本発明は又、請求項14に規定される円筒枠（cage）に関するものである。
【０００８】
本発明は、次の詳細な記述を読むこと、及び限定されない例として、本発明の二つの実施形態を図示する添付図を検討することから、より良く理解されるだろう。
【発明を実施するための最良の形態】
【０００９】
図1に例示したエルボ形状プラグは、第二中空円筒ボディ６の端部に収納された第一中空円筒ボディ７から構成される。第一ボディ７の一端は、ストッパ３によって締切られる。第一ボディ７の内側（図2と6に例示された二つの変形を参照）は、絶縁体１１に固定された電気接点５から構成される。電気接点５に接続される導線の束（本発明をより平易な説明とするために例示しない）は、第二ボディ６の内側に配置される。ボディ６及び７の、接続された二つの端部から成るアセンブリは、「プッシュ/プル」式のロック付きコネクタに必要な、任意のスプリングスリーブ９によって取り囲まれる。
【００１０】
端部が第二ボディ６に収納される第一ボディ７の端部は、Ｏ-リングタイプのシール１６によって取り囲まれる。
【００１１】
Ｏ-リングタイプの第二シール１７は、ボディ６と７との間の最適な電気接触を確保するために、第一ボディ７と第二ボディ６との間で、また、第二ボディ６の内側に位置決めされる。
【００１２】
エルボ形状コネクタの、既存の問題点の一つは、本来、電気接点５と絶縁体１１から構成する接点ブロックが、このブロックを筐体に挿入するより前に、ケーブルを接点に固定するために、可動でなければならない事実に由来する。
そこで、ブロックの前面で圧力をかけ締切りストッパ３を押す固定部品を使用して、この接点ブロックを所定位置に保持する必要がある。もしも、しっかりと保持されなければ、ブロックは操作中に動いて、そこで、電気接触は、不十分となるだろう。
【００１３】
このようなコネクタを組立てることは、多数の複雑な部品を必要とするから、結果として、ボディ内の枠のための有効な長手方向の隙間は、大きな裕度範囲を必要とする。機能的な問題をもたらす従来の構造において、これらの裕度を補うために、長さについて固定部品が小型化されるが、しかしそれで、ブロックは正確に保持されない、又、代わりに、ブロックがしっかり保持されることを確保するために、固定部品が大型化されるが、しかしそれで、ストッパはシールにおいて十分に密閉しない。
【００１４】
図2から5で例示された変形は、割れ目のある円錐１８、１９の形状で、後部に弾力性部分を持つ枠４を使用する。さらに、枠４は、長手方向の壁に形成され、第二円筒ボディの自由端と同じ側に配置された刳り貫き部分２３から構成される。刳り貫き部分２３の幅は、望ましくは、枠の主軸周囲に、約180度に広がる。
【００１５】
スロット１９の寸法、位置、形状、及び数量は、最適な方法で機能を実行するために、コネクタの大きさと形状とに、適合するよう調整されてもよい。
【００１６】
都合よく、接点ブロックがしっかりと保持され、同時に、円錐１８を形成する部分が曲がることを介して、ストッパ３を完全に密閉することが出来ること、及び二つのボディ要素６と７との間に位置するシール１３を締付けることを確保するために、枠４は、大型化されてもよい。
【００１７】
図6から9に例示した変形は、前記の変形と正確に同じ機能を持っている。枠４の弾力性部分は、軸に垂直なスロット２０によってもたらされ、スロット２０は、ストッパ３と接触するカーゴ４の端部近くに位置することが、前記の変形と相違する。枠４の端部は締切られ、円盤２１を形成する。弾力性は、円盤２１の厚さとスロット２０の大きさに適合するように選択されてもよい。円盤２１は、弾力性機械的接触と、筐体の部品の許容誤差に無関係な、十分に制御された復帰力とを確保するために、突起２２を持つ。突起２２の高さと、スロット２０の幅は、補償に必要な隙間に従って決定される。
この変形は、スロットの大きさと位置を介して制御される、弾力性を得ることの利点を提供し、そして結果は、容易に抑制できる。
【００１８】
前の二つの変形（図3と5を参照）の一つの実施形態について、枠は、数個のスロット１５から構成され、例えば、四個のスロットが長手方向に沿って90度の間隔で配置される。これらのスロット１５は、絶縁体１１の一部を形成する突起を受けるようになっていて、従って、枠４が、正確に方向を揃えることを確保し、かつ、この方法で、刳り貫き部分２３が、ケーブルの通路に対し、正しい位置に保持されることを保証する。
【００１９】
本発明のもう一つの実施形態は、例示されないが、例えば、スロットの無い円錐の部分を持った枠である。むしろ、枠は、第一円筒ボディ７の筐体に対して、十分に小型である。枠４とストッパ３との間の隙間は、弾力性部品、例えば、エラストマから作られ、又は金属スプリングから構成するものによって補償される。このように達成される機能は、図２と６で図示した枠で得られたものと同様である。
【００２０】
本発明による枠は、様々な方法、例えば、機械加工や圧延加工された金属、又は代わりとして、金属の鋳造、あるいはプラスチックの成形で、生産されてもよい。
枠の最終形状は、特に、それを作るために選択された材料によって、非常に異なった外観を示してもよい。
【図面の簡単な説明】
【００２１】
【図１】図1は、本発明による、エルボ形状プラグを示す。（1A、概略図、1B、組立分解図）
【図２】図2は、本発明による、エルボ形状プラグの第一実施形態の側面を例示する。
【図３】図3は、図2のプラグに使用される円筒枠を示す。
【図４】図4は、図3の円筒枠の平面図を示す。
【図５】図5は、図3の円筒枠の側面図を示す。
【図６】図6は、本発明による、エルボ形状プラグの第二実施形態の横断面を例示する。
【図７】図7は、図5のプラグで使用される（上から見た）円筒枠を示す。
【図８】図8は、図5のプラグで使用される（下から見た）円筒枠を示す。
【図９】図9は、図5の円筒枠の側面図を示す。
2006513535.tif 000003
【図２】
2006513535.tif 000004
【図３】
2006513535.tif 000005
【図４】
2006513535.tif 000006
【図５】
2006513535.tif 000007
【図６】
2006513535.tif 000008
【図７】
2006513535.tif 000009
【図８】
2006513535.tif 000010
【図９】
2006513535.tif 000011
【手続補正書】
【提出日】平成16年11月11日(2004.11.11)
【手続補正１】
【補正対象書類名】特許請求の範囲
【補正対象項目名】全文
【補正方法】変更
【補正の内容】
【特許請求の範囲】
【請求項１】
互いに固定され、角度を持つ、第一（７）及び第二（６）の中空円筒ボディを、具備するエルボ形状電気プラグであって、ストッパ（３）によって締切られる該第一ボディ（７）の一方の端部（２）が、該二つのボディ（６、７）の自由端（８，１２）の間に、連続する通路を画定するために、該第二ボディ（６）の一方の端部（１）に収納されていて、該第一ボディ（７）が、可動な接点ブロック（５、１１）を具備するエルボ形状電気プラグにおいて、該電気プラグが、所定の位置に該可動な接点ブロック（５、１１）を保持するように、該第一ボディ（７）に配置される同軸円筒枠（４）をさらに具備し、該枠（４）が、該円筒枠の長さより短い長さの長手方向の壁に形成され、該第二円筒ボディ（６）の、該自由端（１２）と同じ側に配置される刳り貫き部分（２３）をさらに具備することを特徴とする、エルボ形状電気プラグ。
【請求項２】
該刳り貫き部分（２３）の幅が、該枠（４）の主軸の周囲に、約180度に広がることを特徴とする、請求項1に記載の電気プラグ。
【請求項３】
該刳り貫き部分（２３）の長さが、該枠（４）の長さより、若干短いことを特徴とする、請求項1又は2に記載の電気プラグ。
【請求項４】
該ストッパ（３）と同じ側に、又は端部と該ストッパ（３）との間に位置する、該枠（４）の該端部に向かって配置される弾力性の手段（１８、２１）を具備し、該手段が、該枠（４）と該ストッパ（３）との間の弾力性接触を確保するように作られる、請求項1から3のいずれか一項に記載の電気プラグ。
【請求項５】
該枠（４）が、該枠（４）の主軸に沿って弾性体（１４）と成っている端部を具備することを特徴とする、請求項４に記載の電気プラグ。
【請求項６】
該弾力性端部（１４）が、中空、円錐形で、該円錐の頂点から放射状に広がるスロット（１９）を持つことを特徴とする、請求項5に記載の電気プラグ。
【請求項７】
該弾力性端部（１４）が中実で、該枠（４）の主軸に垂直な面に作られるスロット（２０）を持ち、該スロット（２０）と該ストッパ（３）との間に位置付けられる該枠（４）の部分が、ほぼ円板（２１）の形状であり、該円板（２１）は、該枠（４）の外側に、該ストッパ（３）の方向を向いた突起（２２）を具備することを特徴とする、請求項5に記載の電気プラグ。
【請求項８】
該枠（４）の長さが、有効な隙間よりも若干長く、従って、該コネクタが、該ストッパ（３）によって締切られる場合に、該枠（４）に圧縮が加わることを特徴とする、請求項5から7のいずれか一項に記載の電気プラグ。
【請求項９】
該弾力性の手段が、該端部と該ストッパ（３）との間に配置されることを特徴とする、請求項4に記載の電気プラグ。
【請求項１０】
該弾力性の手段が、エラストマから作られた部品、例えば該Ｏ-リングタイプのシールから成ることを特徴とする、請求項9に記載の電気プラグ。
【請求項１１】
該弾力性の手段が、スプリングから成ることを特徴とする、請求項9に記載の電気プラグ。
【請求項１２】
刳り貫き部分（２３）が、該枠（４）に弾力性を与えるのに十分な大きさであることを特徴とする、請求項の１から3のいずれか一項に記載の電気プラグ。
【請求項１３】
該第二ボディ（６）に収納される、該第一ボディ（７）の該端部が、該Ｏ−リングタイプ（１６）のシールによって囲まれることを特徴とする、請求項の１から12のいずれか一項に記載の電気プラグ。
【請求項１４】
該第一ボディ（７）と該第二ボディ（６）との間に位置し、該ボディ（６、７）間の最適な電気接触もまた確保するために、該第二ボディ（６）の内側に配置されている該Ｏ−リングタイプ（１７）を具備する、請求項の１から13のいずれか一項に記載の電気プラグ。
【請求項１５】
該枠（４）が、所定の位置にエルボ形状プラグの該可動な接点ブロック（５、１１）を保持するために、該エルボ形状プラグの該第一ボディ（７）に配置されるようになっていて、該枠（４）が、該円筒枠の長さより短い長さの長手方向の壁に形成され、該エルボ形状プラグの、該第二円筒ボディ（６）の該自由端（１２）と同じ側に配置されるようになっている、刳り貫き部分（２３）をさらに具備する、請求項1に記載のエルボ形状電気プラグのための円筒枠（４）。
【国際調査報告】
2006513535.tif 000012
2006513535.tif 000013
2006513535.tif 000014
2006513535.tif 000015
2006513535.tif 000016
2006513535.tif 000017